(57)【要約】クリップを血管上に接線方向に置くのに使用される、外科用クリップは、互いに実質的に平行に配置された２つの脚セクションと、前記２つの脚セクションに対してある角度で前記２つの脚セクションにそれぞれ取り付けられた２つの直線セクションと、前記２つの脚セクションの反対側の端で前記２つの直線セクションを接続する湾曲セクションとを含む。【選択図】図１Ａ
2021532959.tif 000002
【特許請求の範囲】
【請求項１】
互いに実質的に平行に配置された２つの脚セクションと、
前記２つの脚セクションに対してある角度で前記２つの脚セクションにそれぞれ取り付けられた２つの直線セクションと、
前記２つの脚セクションの反対側の端で前記２つの直線セクションを接続する少なくとも１つの湾曲セクションと、を含む、外科用クリップ。
【請求項２】
前記湾曲セクションは、前記２つの脚セクション間の距離を減少させるために、圧縮力の下で曲がるように構成される、請求項１に記載の外科用クリップ。
【請求項３】
前記２つの脚セクションのそれぞれが湾曲している、請求項１に記載の外科用クリップ。
【請求項４】
前記２つの脚セクションのそれぞれが平坦部分を含む、請求項３に記載の外科用クリップ。
【請求項５】
前記外科用クリップが、一片の材料から形成される、請求項１に記載の外科用クリップ。
【請求項６】
前記材料が、ステンレス鋼、チタン、タラナム、プラチナ、および金属合金のうちの１つ、または再吸収可能であることができるポリマーである、請求項５に記載の外科用クリップ。
【請求項７】
前記脚セクションのそれぞれが、一旦外科用クリップが取り付けられた後の滑りを防止するように構成されるテクスチャ加工面を含む、請求項１に記載の外科用クリップ。
【請求項８】
前記直線セクションの各々は、アプリケーターデバイスに保持されたときに滑りを防止するためのテクスチャ加工面を含む、請求項１に記載の外科用クリップ。
【発明の詳細な説明】
【技術分野】
【０００１】
関連出願の参照
本出願は、２０１８年８月２日に出願された仮出願番号６２／７１３，７０４からの優先権の利益を主張し、その全内容は参照により本明細書に組み込まれる。
【０００２】
本開示は、外科手術中の出血を防止または抑制する外科用クリップに関する。より具体的には、本開示は、出血を防止または抑制するために、接線方向または横方向に適用され得る新規の外科用クリップに関する。
【背景技術】
【０００３】
関連技術の説明
外科用クリップは、２０世紀前半から使用される、クリップアプリケーターによって適用される埋め込み型医療機器である。今日、外科用クリップは、従来の開放的で低侵襲の外科手術中に、複数の分野の外科医によって広く使用されている。外科用クリップは、クリップを開放位置に保持するクリップアプリケーターを使用して展開される。クリップが血管上に配置されると、はさみのようなハンドルとペンチのような先端を備えたクリップアプリケーターを押して、外科用クリップを最終的な形に変形させることができる。変形すると、外科用クリップは血管を閉塞し、その内腔を閉じる。外科用クリップを取り付けた後、過度の出血を引き起こすことなく、血管を分割または切断することができる。典型的な血管分割の場合、血管が分割される前に、外科用クリップが分割点のいずれかの側に配置される。外科用クリップが使用される血管はかなり小さく、通常、最大直径が数ミリメートル以下である。
【０００４】
従来の外科用クリップは平らで、通常はステンレス鋼、チタン、タラナム、プラチナ、または金属合金などの金属でできており、および生分解性高分子で作られたクリップも利用できる。それらの平らな設計には、大きな血管の小さな側枝が、大きな血管と出会う点で損傷した場合、従来の外科用クリップを使用して出血を抑制することができないという欠点がある。これは、より大きな血管が大きすぎてクリップで抑制できない可能性があり解剖学的に重要すぎて永久に閉塞できない可能性があるためである。小さな血管が大きな血管と出会う場所で怪我をしている状況では、従来の外科用クリップを使用する代わりに、外科医は時間のかかる縫合糸と縫合糸の結び目に頼らなければならない。これらの縫合糸および縫合糸の結び目は、技術的に非常に困難である可能性があり例えば、低侵襲手術中のサイズの制約のために安全ではない可能性がある。これらの状況下では、大きな切開を使用することで手術では侵襲性を高める必要があり患者の回復がより困難になることがよくある。外科手術の患者の結果は手術の時間に関連し、手術時間が短いことが患者にとって有利であるため、そのような大きな切開、開放手術を、可能であれば、患者の安全を損なうことなく避けるべきである。
【０００５】
従来の外科用クリップのもう１つの問題は、静脈損傷に対し適用が限られていることである。大きな静脈の壁は非常に薄く、損傷を修復するために外科的縫合を行うと裂ける傾向があるため、静脈損傷の出血を抑制するのは非常に難しいことがあり得る。したがって、損傷した静脈の修復を試みると、出血が悪化し、患者の死に至ることさえある。
【０００６】
小さな血管が大きな血管と出会う場所での血管損傷は、それらが、大きな血管に由来する小さな血管の剥離損傷につながるより小さな血管の牽引によって発生する可能性があるため、一般的である。小さな側枝が大きな静脈と出会う静脈損傷も一般的に発生する。したがって、従来の外科用クリップを使用することができず、縫合糸および縫合結び目を使用することが困難であり、危険でさえある可能性があるこれらの状況で使用できる外科用クリップが必要である。
【発明の概要】
【０００７】
本開示は、失血を制限するために、上記のような血管および静脈の損傷を安全かつ迅速に修復することができるように湾曲した新規の外科用クリップに関する。
【０００８】
したがって、本開示の一態様では、外科用クリップは、互いに実質的に平行に配置された２つの脚セクションと、２つの脚セクションに対してある角度で２つの脚セクションにそれぞれ取り付けられた２つの直線セクションと、２つの脚セクションの反対側の端で２つの直線セクションを接続する少なくとも１つの湾曲セクションとを含む。
【図面の簡単な説明】
【０００９】
本発明のより完全な理解およびそれに付随する利点の多くは、添付の図面に関連して検討したときに以下の詳細な説明を参照することによってよりよく理解されるようになるので、容易に得られる。
【００１０】
【図１Ａ】図１ａは、複数の従来の外科用クリップおよびそれらのそれぞれのアプリケーターを示す。
【図１Ｂ】図１ｂは、開いた状態から完全に閉じた状態までのさまざまな段階における３つの従来の外科用クリップを示している。
【図２Ａ】図２ａは、本開示の例示的な態様による外科用クリップの第１の図である。
【図２Ｂ】図２ｂは、本開示の例示的な態様による外科用クリップの第２の図である。
【図２Ｃ】図２ｃは、本開示の例示的な態様による外科用クリップの第３の図である。
【図２Ｄ】図２ｄは、本開示の例示的な態様による外科用クリップの第４の図である。
【図２Ｅ】図２ｅは、本開示の例示的な態様による外科用クリップの第５の図である。
【図３Ａ】図３ａは、本開示の例示的な態様による別の外科用クリップの第１の図である。
【図３Ｂ】図３ｂは、本開示の例示的な態様による他の外科用クリップの第２の図である。
【図４Ａ】図４ａは、本開示の例示的な態様によるさらなる外科用クリップの第１の図である。
【図４Ｂ】図４ｂは、本開示の例示的な態様によるさらなる外科用クリップの第２の図である。
【図４Ｃ】図４ｃは、本開示の例示的な態様によるさらなる外科用クリップの第３の図である。
【図５Ａ】図５ａは、本開示の例示的な態様による別の外科用クリップの第１の図である。
【図５Ｂ】図５ｂは、本開示の例示的な態様による他の外科用クリップの第２の図である。
【図６Ａ】図６ａは、小さな側枝と大きな血管との接合部で出血を引き起こす牽引損傷の図である。
【図６Ｂ】図６ｂは、鋭利な外科用器具による血管損傷の図である。
【図６Ｃ】図６ｃは、本開示の例示的な態様にしたがって、出血部位を抑制するために開いた構成において正確な位置に配置された外科用クリップの適用における第１のステップである。
【図６Ｄ】図６ｄは、本開示の例示的な態様にしたがって、現在閉じられている外科用クリップの適用における第２のステップである。
【図６Ｅ】図６ｅは、本開示の例示的な態様にしたがって、クリップが閉じられ、出血が抑制された外科用クリップの適用における第３のステップである。
【図６Ｆ】図６ｆは、本開示の例示的な態様による、大血管を制御する外科用クリップの適用の最終結果である。
【図７Ａ】図７ａは、本開示の追加の例示的な態様による外科用クリップである。
【図７Ｂ】図７ｂは、本開示の追加の態様による外科用クリップの別の図である。
【発明を実施するための形態】
【００１１】
ここで、同様の参照番号がいくつかの図全体にわたって同一または対応する部品を示す図面を参照すると、図１ａは、従来の外科用クリップおよびそれらのそれぞれのアプリケーター４、５、６の図である。図１ａに示されるように、アプリケーター４、５、６は、外科用クリップが適用される血管を閉塞するために、外科用クリップを保持し、その最終形態に変形させるために使用されるはさみのようなデバイスである。上記のように、外科用クリップは、ステンレス鋼、チタン、タラナム、プラチナ、または金属合金などの金属で作ることができ、生分解性であることができるポリマーでできたクリップも利用可能である。この図に示すように、外科用クリップがスタック１、２、３で提供される。
【００１２】
図１ｂは、３つの異なる寸法の３つの変形状態にある外科用クリップ２１、２２、２３を示している。図１ｂの上部のクリップ２１が最大であり、下部のクリップ２３が最小である。左から右に、クリップは開いた状態、部分的に閉じた状態、完全に閉じた状態で表示される。理解できるように、図１ｂに示されるクリップサイズは単なる例示であり、本開示の範囲から逸脱することなく、より大きなクリップおよびより小さなクリップの両方が可能である。
【００１３】
図１ｂでは、サイズに関係なく、外科用クリップ２１、２２、２３は全て、Ｖ様形状を形成するために、ほぼ中央に単一の屈曲を有する。これが図１ｂのクリップの唯一の曲がりであるため、これらのクリップ２１、２２、２３は平らな面に平らに置くことができる。したがって、これらの従来のクリップは、血管への損傷が、血管がより大きな血管と出会う点に非常に近い用途、または上記のように静脈損傷の修復には使用できない。
【００１４】
図２ａは、本開示の例示的な態様による外科用クリップの第１の図である。図２ａの外科用クリップは、半円形の湾曲セクション２０４によって互いに結合されたそれぞれの直線セクション２０２に接続された２つの湾曲した脚２００を含む。図２ａの外科用クリップは、明確にするために異なるセクションに関して説明されるが、当業者は、図２ａの外科用クリップが一体として形成され得ることを認識するであろう。さらに、半円形の湾曲セクション２０４は、単なる例として半円形として示され、このセクションはまた、「Ｖ」形状、正方形、または既知の他の任意の形状に曲げることができる。図２ａのクリップの異なるセクションの断面は、正方形または長方形として示される。しかしながら、この断面はまた、本開示の範囲から逸脱することなく、円形、長方形、三角形、または他の任意の形状、または形状の組み合わせであり得るし、肢の両端でＶ字形であり得る。
【００１５】
図２ｂは、図２ａの外科用クリップの第２の図である。この図では、外科用クリップが「正面から」示され、湾曲セクション２０４はまた、直線セクション２０２が所定の量だけ広がるようにＶ字形になり得ることを示している。この図からわかるように、湾曲した脚２００は、外科用クリップの高さの約半分まで湾曲している。しかしながら、これは例示的なものであり、用途に応じて、クリップの脚２００の曲線は、図２ｂに示されるものよりも多くても、少なくてもよい。
【００１６】
図２ｃは、図２ａおよび２ｂの外科用クリップの側面図であり、図２ｄは、その閉じた状態の外科用クリップを示している。図２ａ〜２ｄの外科用クリップの設計は、有利には、この外科用クリップを血管がより大きな血管と出会うポイントで血管に適用できる湾曲セクション２０４の近くにより大きな血管を含めることを可能にする。図２ｅは、図２ａ〜２ｄの外科用クリップの変形を示している。図２ｅでは、クリップの直線セクション２０２は、並置ゾーンで確実に閉じるために補強される。理解できるように、このクリップは、ステンレス鋼、チタン、タラナム、プラチナ、または金属合金などの金属、またはポリマーでできていてもよい。
【００１７】
図３ａは、本開示の例示的な態様による別の外科用クリップの第１の図である。図３ａに示される外科用クリップは、図２ａ〜２ｅのクリップと実質的に同じ形状を有し得る。ただし、このクリップの並置ゾーンには、一旦クリップを取り付けた後の滑りを防ぐために、プロファイルまたはテクスチャが含まれている。理解できるように、図３ａに示されるプロファイルまたはテクスチャは単なる例示であり、他のプロファイルまたはテクスチャパターンが、本開示の範囲から逸脱することなく可能である。図３ａのクリップの直線セクション２０２は、アプリケーターに保持される間に滑らないようにするためのテクスチャを含む。図３ｂは、図３ａの外科用クリップの背面の第２の図である。
【００１８】
図４ａは、本開示の例示的な態様によるさらなる外科用クリップの第１の図を示している。図４ａの外科用クリップは、クリップの脚２００の曲線がより浅く、直線の部分さえあり得ることを除いて、上記のものと実質的に同じである。この例の前の図との違いは、クリップアプリケーターがクリップの長い部分に適用されるということであり、これにより、これまたは同様の浅い構成を、接線方向のクリップが必要であり、静脈バイパス導管の狭窄を最小限に抑えることが最も重要な冠状動脈バイパス手術のための伏在静脈採取導管に使用することができる。
【００１９】
図４ｂは、図４ａのクリップの側面図であり、図４ｃは、上面図である。理解できるように、図４ａ〜４ｃの外科用クリップは、本明細書に記載される他のクリップのように一体型クリップとして作製され得るか、または例えばはんだ付けによって接合される異なるセクションで作製され得る。図４ｃに見られるように、長い脚２００は、２つの長い肢を接続する浅いＶ字形の部分よりもかさばることができ、これにより、クリップをクリップアプリケーターブラケットの対応する溝にスライドさせることによって、クリップをクリップアプリケーターに装填することができる。クリップは、ステンレス鋼、チタン、タラナム、プラチナ、金属合金などの金属、または生体吸収性ポリマーで作ることもできる。
【００２０】
図５ａは、本開示の例示的な態様による別の外科用クリップの第１の図である。図５ｂは、図５ａの外科用クリップの側面図である。このクリップでは、湾曲セクション２０４および直線セクション２０２は、脚２００に対して斜めの角度で配置され、図１の前の図よりも低侵襲手術中において、異なる角度で走る血管の制御を可能にする。それ以外については、このクリップは、本明細書に記載される他のクリップと同じ材料および同じ方法で形成され得る。
【００２１】
図６ａおよび６ｂは、本開示の例示的な態様による、外科用クリップを適用する前の血管損傷を示している。図６ａは、血管６００の小さな側枝６０２への牽引損傷６０１を示し、図６ｂは、鋭利な外科用器具による血管６００への外科的損傷６０３を示している。図６ｃでは、本開示の例示的な態様による外科用クリップ６０５が、損傷を伴う動脈または静脈であり得る解剖学的に重要な血管６００に適用される。この図に見られるように、外科用クリップ６０５のアプリケーター６１０は、クリップ６０５の直線セクションを損傷の上に配置することを可能にするその湾曲セクションによってクリップを保持する。外科用クリップ６０５が適用される血管６００の部分は、鉗子６１５で保持される。クリップアプリケーター６１０は、血管６００が鉗子６１５によって保持される間にクリップ６０５を所定の位置に移動させるために使用される。続いて、図６ｄにおいて、外科用クリップ６０５を血管６００の損傷の周りで閉じるようにするために、アプリケーター６１０のハンドルに圧力が加えられる。図６ｅでは、外科用クリップ６０５が完全に閉じていることを確実にするために、外科用クリップ６０５にさらなる圧力が加えられると、鉗子６１５を引き抜くことができる。この操作により、外科医は、クリップアプライヤーを開く前に損傷が完全に抑制されるかどうかを検査することができ、および必要に応じて、血管６００の制御を失うことなく損傷部分を再びつかみ、必要に応じて別のクリップを配置することができる。図６ｆは、クリップが完全に閉じられ、血管の損傷部分に取り付けられていることを示している。理解できるように、図６ａ〜ｆに示される適用技術は、単なる例示であり、当業者が認識するとき他の技術が可能である。
【００２２】
図７ａおよび７ｂは、図４と同様に、よりかさばる脚２００を備えた別の外科用クリップの斜めおよび側面図を示し、クリップアプリケーターがクリップ配置のために挿入され、２つのＶ字形の屈曲部７０５、７１０が、クリップのよりかさばる肢の両端を接続している。
【００２３】
明らかに、本発明の多くの修正および変形は、上記の教示に照らして可能である。したがって、添付の特許請求の範囲内で、本発明は、本明細書に具体的に記載される以外の方法で実施され得ることが理解されるべきである。
【図１Ａ】
2021532959.tif 000003
【図１Ｂ】
2021532959.tif 000004
【図２Ａ】
2021532959.tif 000005
【図２Ｂ】
2021532959.tif 000006
【図２Ｃ】
2021532959.tif 000007
【図２Ｄ】
2021532959.tif 000008
【図２Ｅ】
2021532959.tif 000009
【図３Ａ】
2021532959.tif 000010
【図３Ｂ】
2021532959.tif 000011
【図４Ａ】
2021532959.tif 000012
【図４Ｂ】
2021532959.tif 000013
【図４Ｃ】
2021532959.tif 000014
【図５Ａ】
2021532959.tif 000015
【図５Ｂ】
2021532959.tif 000016
【図６Ａ】
2021532959.tif 000017
【図６Ｂ】
2021532959.tif 000018
【図６Ｃ】
2021532959.tif 000019
【図６Ｄ】
2021532959.tif 000020
【図６Ｅ】
2021532959.tif 000021
【図６Ｆ】
2021532959.tif 000022
【図７Ａ】
2021532959.tif 000023
【図７Ｂ】
2021532959.tif 000024
【国際調査報告】
2021532959.tif 000025